(57)【特許請求の範囲】
【請求項１】
取付け台板に枢支された火力調節レバーを操作してニードル弁を進退することによりガス量を調節するガス量調節装置において、
上記取付け台板と火力調節レバーの接合部に、取付け台板と火力調節レバー自体を加工して形成された枢支手段と、取付け台板に火力調節レバーを支持する支持手段と、取付け台板と火力調節レバーとが分離しないように結合される結合手段とを備えたことを特徴とするガス量調節装置。
【請求項２】
取付け台板と火力調節レバーの接合部のいずれか一方に形成された軸孔に他方に形成された支軸を回動自由に嵌めつけて火力調節レバーが該枢支部を支点として回動操作できる枢支手段である請求項１記載のガス量調節装置。
【請求項３】
取付け台板と火力調節レバーの接合部のいずれか一方に形成さやた係合支持溝に他方に形成された係合支持片をスライド可能に嵌めつけて火力調節レバーの使用回動範囲において取付け台板に火力調節レバーが支持される支持手段である請求項１記載のガス量調節装置。
【請求項４】
取付け台板と火力調節レバーのいずれか一方に形成された回転阻止片に他方に形成された引掛け片が引掛って火力調節レバーの使用回動範囲が規制されて上記支持手段の係合を保つことにより取付け台板と火力調節レバーとが分離しないように結合される結合手段である請求項１記載のガス量調節装置。
【請求項５】
取付け台板と火力調節レバーの接合部は、火力調節レバーの不使用位置において軸孔に支軸を嵌着し、火力調節レバーを使用位置に回動変位して係合支持溝に係合支持片を係合して取付け台板に火力調節レバーを支持せしめ、該使用位置において引掛け片が回転阻止片に引掛かるように変形して取付け台板と火力調節レバーを組みつける請求項１〜４記載のガス量調節装置。
【請求項６】
取付け台板と火力調節レバーの接合部のいずれか一方に摩擦抵抗の減少とガタつき防止を兼備する凸条を備えた請求項１〜５記載のガス量調節装置。
【請求項７】
取付け台板と火力調節レバーの接合部にガタつきを防止する緩衝部材を介在させた請求項１〜５記載のガス量調節装置。
【発明の詳細な説明】
【０００１】
【発明の属する技術分野】
この発明はガス量調節装置に関し、詳しくはテーブルこんろ等において、火力調節レバーを操作してニードル弁を進退しバーナの火力をコントロールするガス量調節装置に関する。
【０００２】
【従来の技術】
従来のこの種のガス量調節装置は、たとえば、図１０〜図１２に示されているように、弁本体１′に装備されたニードル弁の弁軸２′に固定された作動ピン３′を係合してニードル弁を回転させる係合溝４′をもった火力調節レバー５′と、上記作動ピン３′をスライド可能に係合して火力調節レバー５′の回転操作でニードル弁を進退移動させる斜状ガイド溝６′をもち、上記弁本体１′に取付け固定される取付け台板７′とからなり、取付け台板７′に枢支された火力調節レバー５′を操作してニードル弁を進退させることによりバーナへのガス量を調節しバーナの火力をコントロールする構造となっている。
【０００３】
上記構成のガス量調節装置において、取付け台板７′に対する火力調節レバー５′の枢支部は、カシメピン８′又は同等のビス等により枢支しているのが一般的である（図１０参照）。そして、カシメピン８′の頭部と取付け台板７′との間に板バネ９′を介在させて取付け台板７′に対する火力調節レバー５′のガタつきを防止しているものもある（図１２参照）。
【０００４】
【発明が解決しようとする課題】
しかしながら、上記従来の技術における枢支部は、カシメピン８′又は同等のビス等を用いて取付け台板７′に火力調節レバー５′を枢支しているので、カシメ加工等には多くの手数と労力を要するばかりでなく、カシメピン８′又は同等のビス等の部品が必要であるため、部品点数も多くなる。したがって、作業工程及び部品点数の増大と相まって作業能率も悪いためにコスト高となるという問題点があった。
【０００５】
この発明のガス量調節装置は、上記課題を解決し、部品点数の減少と作業工程の減少と作業労力の軽減を図ってコスト安で、しかも、軽快、かつ、確実な操作ができるガス量調節装置を提供することを目的とする。
【０００６】
【課題を解決するための手段】
上記課題を解決するこの発明の第１のガス量調節装置は、
取付け台板に枢支された火力調節レバーを操作してニードル弁を進退することによりガス量を調節するガス量調節装置において、
上記取付け台板と火力調節レバーの接合部に、取付け台板と火力調節レバー自体を加工して形成された枢支手段と、取付け台板に火力調節レバーを支持する支持手段と、取付け台板と火力調節レバーとが分離しないように結合される結合手段とを備えた構成を特徴とする。
上記構成を有するこの発明の第１のガス量調節装置は、取付け台板に対し火力調節レバーは取付け台板と火力調節レバー自体を加工して形成された枢支手段で枢支されているから、従来のように余分なカシメピン又は同等のビス等を用いる必要はなく、また、取付け台板に対し火力調節レバーは支持手段で確実に支持され、しかも、取付け台板と火力調節レバーは結合手段で分離しないように結合される。
【０００７】
上記課題を解決するこの発明の第２のガス量調節装置は、上記第１のガス量調節装置の枢支手段が、
取付け台板と火力調節レバーの接合部のいずれか一方に形成された軸孔に他方に形成された支軸を回動自由に嵌めつけて火力調節レバーが該枢支部を支点として回動操作できる構成であることを特徴とする。
上記構成を有するこの発明の第２のガス量調節装置は、たとえば、取付け台板の接合部の略中心に穿った軸孔に火力調節レバーの接合部の略中心に設けた支軸を回動自由に嵌めつければ、取付け台板に対する火力調節レバーの枢支が行える。
【０００８】
上記課題を解決するこの発明の第３のガス量調節装置は、上記第１のガス量調節装置の支持手段が、
取付け台板と火力調節レバーの接合部のいずれか一方に形成された係合支持溝に他方に形成された係合支持片をスライド可能に嵌めつけて火力調節レバーの使用回動範囲において取付け台板に火力調節レバーが支持される構成であることを特徴とする。
上記構成を有するこの発明の第３のガス量調節装置は、たとえば、取付け台板の接合部の両側に穿った係合支持溝に火力調節レバーの接合部の両側に突設した係合支持片をスライド可能に嵌めつければ、取付け台板に火力調節レバーがその使用回動範囲において支持される。
【０００９】
上記課題を解決するこの発明の第４のガス量調節装置は、上記第１のガス量調節装置の結合手段が、
取付け台板と火力調節レバーのいずれか一方に形成された回転阻止片に他方に形成された引掛け片が引掛って火力調節レバーの使用回動範囲が規制されて上記支持手段の係合を保つことにより取付け台板と火力調節レバーとが分離しないように結合される構成であることを特徴とする。
上記構成を有するこの発明の第４のガス量調節装置は、たとえば、取付け台板に形成された回転阻止片に火力調節レバーに形成された引掛け片が引掛って火力調節レバーの使用回動範囲が規制されることにより上記支持手段の係合が保たれるため、取付け台板と火力調節レバーとは支持手段で結合され分離することはない。
【００１０】
上記課題を解決するこの発明の第５のガス量調節装置は、上記第１〜４のガス量調節装置において、
取付け台板と火力調節レバーの接合部は、火力調節レバーの不使用位置において軸孔に支軸を嵌着して接合し、火力調節レバーを使用位置に回動変位して係合支持溝に係合支持片を係合して取付け台板に火力調節レバーを支持せしめ、該使用位置において引掛け片が回転阻止片に引掛かるように変形して取付け台板と火力調節レバーを組みつける構成であることを特徴とする。
上記構成を有するこの発明の第５のガス量調節装置は、たとえば、取付け台板に形成された軸孔に火力調節レバーを不使用位置において嵌めつけ、その後、火力調節レバーを使用位置に回動変位すると、係合支持溝に係合支持片が係合して取付け台板に火力調節レバーが支持され、この使用位置において引掛け片を変形して回転阻止片に引掛かるようにすることにより、取付け台板と火力調節レバーは組みつけられる。
【００１１】
上記課題を解決するこの発明の第６のガス量調節装置は、上記第１〜５のガス量調節装置において、
取付け台板と火力調節レバーの接合部のいずれか一方に摩擦抵抗の減少とガタつき防止を兼備する凸条を備えた構成であることを特徴とする。
上記構成を有するこの発明の第６のガス量調節装置は、たとえば、取付け台板の軸孔の囲りに凸条を形成すれば、この凸条で火力調節レバーの回動操作が軽く正確に行いうる。
【００１２】
上記課題を解決するこの発明の第７のガス量調節装置は、上記第１〜５のガス量調節装置において、
取付け台板と火力調節レバーの接合部にガタつきを防止する緩衝部材を介在させた構成であることを特徴とする。
上記構成を有するこの発明の第７のガス量調節装置は、取付け台板と火力調節レバーの接合部に介在された緩衝部材で火力調節レバーのガタつき等が吸収され、火力調節レバーの回動操作が常時確実に行いうる。
【００１３】
【発明の実施の形態】
この発明のガス量調節装置では、たとえば、実施例に対応する図面に示されているように、弁本体１に装備されているニードル弁の弁軸２に固定された作動ピン３を係合してニードル弁を回転させる係合溝４をもった火力調節レバー５と、上記作動ピン３をスライド可能に係合して火力調節レバー５の回転操作でニードル弁を進退移動させる斜状ガイド溝６をもち、上記弁本体１に取付け固定される取付け台板７とからなり、取付け台板７に枢支された火力調節レバー５を操作してニードル弁を進退させることによりバーナへのガス量を調節しバーナの火力をコントロールするガス量調節装置において、
【００１４】
上記取付け台板７に対する火力調節レバー５の枢支部を、取付け台板７の接合部７ａの略中心に穿った軸孔８に火力調節レバー５の接合部５ａの略中心に設けた支軸９を回動自由に嵌めつけて取付け台板７に対し火力調節レバー５をそれ自体を加工して形成された軸孔８と支軸９により枢支できるようにしている。
【００１５】
また、上記取付け台板７に対する火力調節レバー５の支持を、取付け台板７の接合部７ａの両側に穿った係合支持溝１０、１１に火力調節レバー５の接合部５ａの両側に突設した係合支持片１２、１３をスライド可能に嵌めつけて取付け台板７に火力調節レバー５がその使用回動範囲において支持されるようにしている。
【００１６】
さらに、上記取付け台板７と火力調節レバー５は、取付け台板７に形成された回転阻止片１４に火力調節レバー５に形成された引掛け片が１５が引掛って火力調節レバー５の使用回動範囲を規制することにより上記係合支持溝１０、１１と係合支持片１２、１３との係合が保たれて取付け台板７と火力調節レバー５とが分離することのないようにしている。
【００１７】
さらには、上記枢支手段、支持手段及び結合手段は取付け台板７の軸孔８に火力調節レバー５の支軸９が火力調節レバー５の不使用位置において嵌めつけでき、上記軸孔８に支軸９を嵌めつけた後、火力調節レバー５を使用位置に回動変位したときは取付け台板７の係合支持溝１０、１１に火力調節レバー５の係合支持片１２、１３が係合し、さらに、該使用位置において引掛け片１５を回転阻止片１４に引掛かるように折曲げ変形すれば取付け台板７と火力調節レバー５とが一体的に組みつけうるようにしている。
【００１８】
また、上記取付け台板７と火力調節レバー５の接合部の取付け台板７の軸孔８の囲りに凸条１６を形成するか、又は取付け台板７と火力調節レバー５の接合部７ａ、５ａの枢支部の囲りに緩衝部材を介在させて火力調節レバーが軽快、かつ、確実に操作できるようにしている。
【００１９】
以上この発明の実施の形態の一例について説明したが、この発明はこうした実施の形態に何ら限定されず、この発明の要旨を逸脱しない範囲において様々な形態で実施しうること勿論である。
【００２０】
以上説明したこの発明の構成、作用及び実施の形態を一層明確にするために、この発明のガス量調節装置を具体的に示した実施例について以下に図面を参照して説明する。
【００２１】
【実施例】
図１〜図９は一実施例としてのこの発明のガス量調節装置を示したものであって、ガス量調節装置は、弁本体１に装備されているニードル弁（図示せず）の弁軸２に固定された作動ピン３を係合してニードル弁を回転させる係合溝４をもった火力調節レバー５と、上記作動ピン３をスライド可能に係合して火力調節レバー５の回転操作でニードル弁を進退移動させる斜状ガイド溝６をもち、上記弁本体１に取付け固定される取付け台板７とからなり、取付け台板７に枢支された火力調節レバー５を操作してニードル弁を進退させることによりバーナへのガス量を調節しバーナの火力を無段階にコントロールできるようになっている。
【００２２】
そして、図１及び図２に示した実施例は上記火力調節レバー５にガス量を火力「強」から火力「弱」へ絞るときにガス量が急激に絞られることによるバーナの消火等を防ぐための安全装置Ａを備えており、図５及び図７〜図８に示した実施例では上記安全装置のないものを示している。
【００２３】
そこで、上記安全装置Ａは図１及び図２に例示されているように、火力調節レバー５の基端部に枢支された操作レバー１８の先端係止片１９をトーションバネ２０により取付け台板７に設けられた基端係止段部２１に係止するように付勢して備え、操作レバー１８をそのままの状態で火力「強」から火力「弱」へ移動させてもその途中（たとえば、略火力「中」の位置）で取付け台板７の係止段部２１に火力調節レバー５の係止片１９が係止されてその移動が一旦阻止され、その後、操作レバー１８をトーションバネ２０に抗して上方へ持ち上げると係止段部２１から係止片１９が外れ火力「弱」の位置への移動ができる構造となっている。
【００２４】
また、図１及び図２の実施例において、２２は戻しレバーで火力調節レバー５が火力「弱」の位置にあるときに点火操作すると、点火操作釦と連動する作動片２３で戻しレバー２２の下端部を押してその先端部で火力調節レバー５の押動片２４を押し火力調節レバー５を、たとえば、火力「中」の位置へ変動させて火力「中」のガス量で点火できるようにして安全点火を期するものである。この戻しレバー２２は弁本体１に枢設されている。
【００２５】
上記取付け台板７に対する火力調節レバー５の枢支部は、図１〜図５に示した実施例では取付け台板７の接合部７ａの略中心に穿った軸孔８に火力調節レバー５の接合部５ａの略中心に一体形成された支軸９を回動自由に嵌めつけるだけで取付け台板７に対し火力調節レバー５の枢支が行える構造となっており、図６に示した実施例は軸孔８と支軸を逆に設けたものであって、取付け台板７の接合部７ａの略中心に一体形成した支軸９を火力調節レバー５の接合部５ａの略中心に穿った軸孔８に回動自由に嵌めつけるだけで取付け台板７に対し火力調節レバー５の枢支が行える構造となっている。なお、支軸９としては、実施例のように取付け台板７又は火力調節レバー５の接合部７ａ又は５ａに短筒状の支軸９を一体形成するのがよい。
【００２６】
上記取付け台板７に対し火力調節レバー５の支持は、実施例では取付け台板７の接合部７ａの両側に穿った係合支持溝１０、１１に火力調節レバー５の接合部５ａの両側に突設した係合支持片１２、１３をスライド可能に嵌めつけるだけで火力調節レバー５の使用回動範囲において支持される構造となしている。しかし、図示しないが上記実施例とは逆に取付け台板側に係合支持片を設け、火力調節レバー側に係合支持溝を設けて取付け台板７に対し火力調節レバー５をその使用回動範囲において支持するようにしてもよい。
【００２７】
上記取付け台板７と火力調節レバー５の結合は、実施例では取付け台板７に一体形成された回転阻止片１４に火力調節レバー５に一体形成された引掛け片が１５が引掛って火力調節レバー５の使用回動範囲を規制することで上記係合支持溝１０、１１と係合支持片１２、１３との係合が保たれて取付け台板７と火力調節レバー５とが分離しないよう結合される構造となっている。しかし、図示しないが上記実施例とは逆に取付け台板側に引掛け片を設け、火力調節レバー側に回転阻止片を設けて取付け台板７と火力調節レバー５が分離しないようにしてもよい。
【００２８】
取付け台板７と火力調節レバー５の接合部７ａ、５ａにおける上記した枢支手段、支持手段及び結合手段は、たとえば、図７〜図９に示されているような手順で組みつけうるようになしている。すなわち、取付け台板７と火力調節レバー５を逆さまにして取付け台板７に対し火力調節レバー５の不使用位置ａにおいて両接合部７ａ、５ａが重合できるようになっているため、この不使用位置ａで取付け台板７の接合部７ａの軸孔８に火力調節レバー５の接合部５ａの支軸９を嵌めつけ両接合部７ａ、５ａを重合する（図７の状態参照）。この不使用位置ａにおいては火力調節レバー５の係合支持片１２、１３及び変形されていない引掛け片１５はその重合に支障のない位置にある。
【００２９】
上記枢支部の嵌めつけ後、火力調節レバー５を使用位置ｃ−ｄに回動変位すると、火力調節レバー５の係合支持片１２、１３が取付け台板７の係合支持溝１０、１１に係合されると同時に火力調節レバー５の引掛け片１５が取付け台板７の回転阻止片１４上に位置する。そこで、火力調節レバー５を、たとえば、使用位置ｃ−ｄの略中間位置ｂとして引掛け片１５を回転阻止片１４側に略９０度折曲げ変形する（図８の状態参照）。
【００３０】
上記使用位置ｃ−ｄにおける係合支持片１２、１３の係合支持溝１０、１１への係合と引掛け片１５の折曲げ変形とにより、取付け台板７に対し火力調節レバー５は係合支持片１２、１３と係合支持溝１０、１１により支持され、取付け台板７と火力調節レバー５とは引掛け片１５が回転阻止片１４に引掛って火力調節レバー５の使用回動範囲が規制されるため、係合支持片１２、１３と係合支持溝１０、１１との係合が保たれて取付け台板７と火力調節レバー５とは分離しないように結合される（図９の状態参照）。
【００３１】
また、上記取付け台板７の接合部７ａの軸孔８の囲りに断面円弧状の凸条１６を一体形成し、火力調節レバー５の接合部５ａとの接触が線接触となるようにして摩擦抵抗の軽減を図っている。そして、取付け台板７と火力調節レバー５の接合部７ａ、５ａとの間の枢支部の囲りに板バネ等の緩衝部材１７を介在させて火力調節レバー５が軽快、かつ、確実に操作でき、かつ、火力調節レバー５のガタつきをも防ぐようにしている。
【００３２】
【発明の効果】
この発明のガス量調節装置は、以上説明したような形態で実施され、以下に記載される効果を奏する。
【００３３】
この発明の第１のガス量調節装置は、取付け台板と火力調節レバーはそれ自体を加工して形成された枢支手段で枢支されているから、従来のようにカシメピン又は同等のビス等の余分な部品を用いる必要がないため、部品点数の減少と作業工程の減少及び作業労力の軽減が図りうる。したがって、ガス量調節装置が安価に提供できる。
また、取付け台板に対し火力調節レバーは支持手段で確実に支持され、しかも、取付け台板と火力調節レバーは結合手段で分離しないように結合されるから、その操作が、確実に行いうるばかりでなく、転換作業時等の取扱いにも便利である。
【００３４】
この発明の第２のガス量調節装置は、上記第１のガス量調節装置の枢支手段が、取付け台板と火力調節レバー自体に設けられた軸孔に支軸を嵌めつけるだけであるから、上記第１の発明の効果が容易に実現でき、その組みつけも簡易に行いうる。
【００３５】
この発明の第３のガス量調節装置は、上記第１のガス量調節装置の支持手段が、係合支持溝に係合支持片を上記軸支後、火力調節レバーを変位してスライド可能に嵌めつけるだけであるから、上記第１の発明の効果が容易に実現でき、取付け台板に対する火力調節レバーの支持を安定的に行いうる。
【００３６】
この発明の第４のガス量調節装置は、上記第１のガス量調節装置の結合手段が、回転阻止片に引掛け片が引掛って火力調節レバーの使用回動範囲を規制することにより上記第３の発明の支持手段の係合を保つようにしたから、上記第１の発明の効果が容易に実現でき、組みつけ時の引掛け片の変形加工も単に折曲げるだけで簡易に行いうる。
【００３７】
この発明の第５のガス量調節装置は、上記第１〜４のガス量調節装置の枢支手段、支持手段及び結合手段の組みつけが簡易に行いうるようにしたので、上記第１〜４の発明の効果が容易に実現でき、特に、組みつけ作業が簡単であるから能率的に行える。
【００３８】
この発明の第６のガス量調節装置は、上記第１〜５のガス量調節装置において、取付け台板に対する火力調節レバーの摩擦抵抗を減じ、また、この発明の第７のガス量調節装置は、取付け台板と火力調節レバーの操作が常時軽快、かつ、確実に行いうるようにしたから、上記第１〜５の発明の効果が容易に実現できる。
【図面の簡単な説明】
【図１】この発明のガス量調節装置の一実施例を示した一部を切断した全体側面図である。
【図２】その要部だけの平面図である。
【図３】図２のＸ−Ｘ断面図である。
【図４】取付け台板と火力調節レバーの接合部に緩衝部材を介在した場合の断面図である。
【図５】取付け台板と火力調節レバーを分離して示した斜視図である。
【図６】軸孔と支軸を逆に設けた場合の要部だけの断面図である。
【図７】取付け台板と火力調節レバーを逆さにして組みつける手順の火力調節レバーが不使用位置での重合状態を示した平面図である。
【図８】火力調節レバーを使用位置に変位した場合の平面図である。
【図９】組みつけ完了状態の平面図である。
【図１０】従来のガス量調節装置の一例を示した一部を切断した側面図である。
【図１１】その要部だけの平面図である。
【図１２】カシメビスの頭部と取付け台板との間に板バネを介在した従来例の要部の断面図である。
【符号の説明】
５…火力調節レバー、７…取付け台板、８…軸孔、９…支軸、１０，１１…係合支持溝、１２，１３…係合支持片、１４…回転阻止片、１５…引掛け片、１６…凸状、１７…緩衝部材。
【図１】
0003661724.tif 000002
【図２】
0003661724.tif 000003
【図３】
0003661724.tif 000004
【図４】
0003661724.tif 000005
【図５】
0003661724.tif 000006
【図６】
0003661724.tif 000007
【図７】
0003661724.tif 000008
【図８】
0003661724.tif 000009
【図９】
0003661724.tif 000010
【図１０】
0003661724.tif 000011
【図１１】
0003661724.tif 000012
【図１２】
0003661724.tif 000013